(57)【要約】【課題】ガイド部材を簡単に交換できるようにする。【解決手段】シークイン供給装置９は、シークインテープをミシンヘッド７の前方から縫製位置Ｐに向けて送る送り機構１１を備えたテープ送り部１０と、シークインテープＴを縫製位置Ｐに案内する一対のガイド面４２，４２を備えたガイド部材４０とを含み構成されている。テープ送り部１０は、シークイン供給時に縫製位置Ｐの真前方に対する左右一方の側方に配置される支持部３３を備え、該支持部３３の左右他方の側面には、左右一方に凹んで左右他方及び前方に開口した前後方向に延びる溝状の被差込部３４が設けられている。そして、ガイド部材４０の左右一方の側部には、被差込部３４に前方から差し込まれる差込部４４が設けられている。【選択図】図３
2009254638.tif 000002
【特許請求の範囲】
【請求項１】
シークイン（Ｓ）が直列に連結されたシークインテープ（Ｔ）を、ミシンヘッド（７）の前方から該ミシンヘッドの縫製位置（Ｐ）に向けて送る送り機構（１１）を備えたテープ送り部（１０）と、前記シークインテープ（Ｔ）を前記縫製位置（Ｐ）に案内する一対の左右方向に向かい合って前後方向に延びるガイド面（４２，４２）を備えたガイド部材（４０）とを含み構成されたシークイン供給装置において、
前記テープ送り部（１０）は、前記シークインテープ（Ｔ）を前記縫製位置（Ｐ）に送るシークイン供給時に前記縫製位置（Ｐ）の真前方に対する左右一方の側方に配置される支持部（３３）を備え、該支持部（３３）の左右他方の側面に、左右一方に凹んで左右他方及び前方に開口した前後方向に延びる溝状の被差込部（３４）が設けられ、
前記ガイド部材（４０）の左右一方の側部に、前記被差込部（３４）に前方から差し込まれる差込部（４４）が設けられたことを特徴とするシークイン供給装置。
【請求項２】
前記被差込部（３４）の天井面には、下方に突出した天面凸部（３５）、又は上方に凹んで下方及び前方に開口した前後方向に延びる溝状の天面凹部（３６）が設けられ、
前記差込部（４４）の上面には、前記天面凸部（３５）に係合する、下方に凹んで上方及び後方に開口した前後方向に延びる溝状の上面凹部（４５）、又は前記天面凹部（３６）に係合する、上方に突出した上面凸部（４６）が設けられた請求項１記載のシークイン供給装置。
【請求項３】
前記テープ送り部（１０）は、左右方向に並べて複数並設された請求項１又は２記載のシークイン供給装置。
【発明の詳細な説明】
【技術分野】
【０００１】
本発明は、シークインを縫製位置に供給するシークイン供給装置に関する。
【背景技術】
【０００２】
シークイン供給装置の中には、図６に示す従来例（引用文献１）のシークイン供給装置９０のように、シークインテープＴを縫製位置Ｐに向けて送る送り機構９２を備えたテープ送り部９１と、シークインテープＴを縫製位置Ｐに案内する一対のガイド面９４，９４を備えたガイド部材９３とを含み構成され、テープ送り部９１にガイド部材９３がネジＸ１，Ｘ２，Ｘ３で取り付けられたものがある。
【特許文献１】特開２００５−３３４２４３号公報
【発明の開示】
【発明が解決しようとする課題】
【０００３】
シークインテープＴをサイズの異なるものに交換する際には、ガイド部材９３も、そのガイド面９４，９４の幅を交換後のシークインテープＴの幅に合せて交換する必要がある。ところが、その際にはネジＸ１，Ｘ２，Ｘ３を外す必要があり、交換に手間がかかってしまう。
【０００４】
そこで、ガイド部材を簡単に交換できるようにすることを目的とする。
【課題を解決するための手段】
【０００５】
上記目的を達成するため、本発明のシークイン供給装置は、シークインが直列に連結されたシークインテープを、ミシンヘッドの前方から該ミシンヘッドの縫製位置に向けて送る送り機構を備えたテープ送り部と、前記シークインテープを前記縫製位置に案内する一対の左右方向に向かい合って前後方向に延びるガイド面を備えたガイド部材とを含み構成されたシークイン供給装置において、前記テープ送り部は、前記シークインテープを前記縫製位置に送るシークイン供給時に前記縫製位置の真前方に対する左右一方の側方に配置される支持部を備え、該支持部の左右他方の側面に、左右一方に凹んで左右他方及び前方に開口した前後方向に延びる溝状の被差込部が設けられ、前記ガイド部材の左右一方の側部に、前記被差込部に前方から差し込まれる差込部が設けられたことを特徴とする。
【０００６】
ここで、前記シークイン供給装置は、特に限定されないが、前記差込部が前記被差込部から左右他方に抜け落ちるのを防止するため、前記被差込部の天井面には、下方に突出した天面凸部、又は上方に凹んで下方及び前方に開口した前後方向に延びる溝状の天面凹部が設けられ、前記差込部の上面には、前記天面凸部に係合する、下方に凹んで上方及び後方に開口した前後方向に延びる溝状の上面凹部、又は前記天面凹部に係合する、上方に突出した上面凸部が設けられていることが好ましい。
【０００７】
また、前記シークイン供給装置は、特に限定されないが、本発明の特徴を最も効果的に活用するため、前記テープ送り部は、左右方向に並べて複数並設されていることが好ましい。このように左右方向に並設された場合にも、被差込部に差込部が前方から差し込まれるため、ガイド部材が左右のテープ送り部に干渉して差し込み不能になったり、引き抜き不能になったりすることはないからである。
【発明の効果】
【０００８】
本発明によれば、テープ送り部の被差込部に、ガイド部材の差込部が前方から差し込まれるため、該テープ送り部に対する該ガイド部材の取り付け及び取り外しが簡単であり、よって、該ガイド部材の交換が簡単である。
【発明を実施するための最良の形態】
【０００９】
本発明のシークイン供給装置９は、シークインＳが直列に連結されたシークインテープＴを、ミシンヘッド７の前方から該ミシンヘッド７の縫製位置Ｐに向けて送る送り機構１１を備えたテープ送り部１０と、シークインテープＴを縫製位置Ｐに案内する一対の左右方向に向かい合って前後方向に延びるガイド面４２，４２を備えたガイド部材４０とを含み構成されている。
【００１０】
テープ送り部１０は、左右方向に並べて複数並設され、各テープ送り部１０は、シークインテープＴを縫製位置Ｐに送るシークイン供給時に縫製位置Ｐの真前方に対する左右一方の側方に配置される支持部３３を備え、該支持部３３の左右他方の側面には、左右一方に凹んで左右他方及び前方に開口した前後方向に延びる溝状の被差込部３４が設けられている。そして、ガイド部材４０の左右一方の側部には、被差込部３４に前方から差し込まれる差込部４４が設けられている。
【００１１】
被差込部３４の天井面には、下方に突出した天面凸部３５、又は上方に凹んで下方及び前方に開口した前後方向に延びる溝状の天面凹部３６が設けられている。そして、差込部４４の上面には、天面凸部３５に係合する、下方に凹んで上方及び後方に開口した前後方向に延びる溝状の上面凹部４５、又は天面凹部３６に係合する、上方に突出した上面凸部４６が設けられている。
【実施例】
【００１２】
図１〜図５に示す本実施例のシークイン供給装置９は、ミシン針８が左右方向に並設されたミシンヘッド７の前方に設けられており、シークインＳが直列に連結されたシークインテープＴを、ミシンヘッド７の前方から該ミシンヘッド７の縫製位置Ｐに送ることによって、該縫製位置ＰにシークインＳを供給する。このシークイン供給装置９は、シークインテープＴが巻かれたリール（図示略）と、該リールから解かれたシークインテープＴを縫製位置Ｐに向けて送る左右２つのテープ送り部１０，１０と、該２つのテープ送り部１０，１０に対してそれぞれ取り付けられた、シークインテープＴを縫製位置Ｐに案内するガイド部材４０，４０と、該２つのテープ送り部１０，１０のいずれか一方を択一的に駆動する駆動機構５０と、該駆動機構５０が駆動するテープ送り部１０，１０を一方から他方に切り換える切換機構６０と、シークイン非使用時にこれらテープ送り部１０，１０、駆動機構５０及び切換機構６０をシークイン供給位置から退避位置に退避させる退避機構７０とを含み構成されている。
【００１３】
［テープ送り部１０］
左右２つのテープ送り部１０，１０は、一方が他方に対して左右反対に設けられており、各テープ送り部１０は、駆動機構５０から駆動力が入力されると該駆動力をシークインテープＴに伝えて該シークインテープＴを縫製位置Ｐに向けて送る送り機構１１と、該シークインテープＴの位置を前後方向に調節する位置調節機構２１と、駆動機構５０が切り離された際に送り機構１１を変位不能に保持する保持機構２８と、ガイド部材４０を取り付けるガイド取付部３１と、縫製位置Ｐに送られたシークインテープＴの先端のシークインＳを該シークインテープＴから切り離すカッター２９とを含み構成されている。
【００１４】
送り機構１１は、シークインテープＴに当接して該シークインテープＴを縫製位置Ｐに送り出す送出ピン１７を備えた送出部材１６と、該送出部材１６に駆動力を伝える動力伝達部材１２，１３，１４，１５とを含み構成されている。そして、最も入力側（駆動機構５０側）に位置する動力伝達部材１２には、駆動機構５０の出力部５５ａに切り離し可能に連結される入力部１２ａが設けられている。詳しくは、該最も入力側に位置する動力伝達部材１２は、テープ送り部１０が備えるベースフレーム１９に対して取り付けられており、最も出力側（縫製位置Ｐ側）に位置する動力伝達部材１５及び送出部材１６は、該ベースフレーム１９に対して前後方向に位置調節可能に取り付けられた位置調節用フレーム２２に対して取り付けられている。
【００１５】
位置調節機構２１は、前述の位置調節用フレーム２２と、該位置調節用フレーム２２をベースフレーム１９に対して前後方向に位置調節するネジ機構２３と、該位置調節に合せて動力伝達部材１２の前後方向への長さを調節するための経路長調節機構２４と、送出ピン１７のストロークの先端の位置を微調節するためのストッパ２５とを含み構成されている。
【００１６】
ガイド取付部３１は、位置調節用フレーム２２の下端部に設けられた、ガイド部材４０の左右一方の端部を支持する支持部３３と、該支持部３３の下端に取り付けられて左右他方に突出した、ガイド部材４０を載せる載置台３７とを含み構成されている。そして、該テープ送り部１０がシークインテープＴを縫製位置Ｐに送るシークイン供給時には、支持部３３が、縫製位置Ｐの真前方に対する左右一方の側方に配置され、載置台３７が、該支持部３３の下端から縫製位置Ｐの真前方に対する下方に延出するように構成されている。その支持部３３の左右他方の側面には、左右一方に凹んで左右他方並びに前方及び後方に開口した前後方向に延びる溝状の被差込部３４が設けられている。そして、その被差込部３４の天井面には、該天井面の左右一方側（奥側）を基準に見れば、該天井面の左右他方側（開口側）に、下方に突出した前後方向に延びる天面凸部３５が設けられており、また、該天井面の左右他方側（開口側）を基準にみれば、該天井面の左右一方側（奥側）に、上方に凹んで下方並びに前方及び後方に開口した前後方向に延びる溝状の天面凹部３６が設けられている。また、載置台３７には、送出ピン１７の下端部との干渉を避けるための前後方向に延びる干渉防止孔３８が貫設されている。また、該載置台３７の後端部には、ガイド部材４０がガイド取付部３１の後方に抜け落ちるのを防止するためのストッパ３９が設けられている。
【００１７】
［ガイド部材４０］
ガイド部材４０，４０は、左右２つのテープ送り部１０，１０の下端にそれぞれ取り付けられており、これら２つのガイド部材４０，４０は、テープ送り部１０，１０と同じく一方が他方に対して左右反対に構成されている。詳しくは、該２つのガイド部材４０，４０は、双方とも同一の形状であるが、各ガイド部材４０は前後対象に設けられており、該２つのガイド部材４０，４０のうちの一方を上下方向を軸に１８０度回転させて設置することによって、該一方を他方に対して左右反対に構成している。各ガイド部材４０は、該ガイド部材４０の下面に凹設された、シークインテープＴを縫製位置Ｐに案内するガイド溝４１と、ガイド部材４０の上面からガイド溝４１の天井面に貫通した、送出ピン１７を挿通させるための前後方向に延びる挿通孔４３と、ガイド部材４０の左右一方側の端部に設けられた、被差込部３４に差し込まれる前後方向に延びる差込部４４と、該ガイド部材４０の上面の前端部に凹設された、該ガイド部材４０を被差込部３４から引き抜く際に指や治具等を引っ掛けるための引掛溝４７とを含み構成されている。
【００１８】
ガイド溝４１は、上方に凹んでガイド部材４０の下方並びに前方及び後方に開口した前後方向に延びる溝であって、このガイド溝４１の左右方向両側の側面が、シークインテープＴを縫製位置Ｐに案内する一対の左右方向に向かい合って前後方向に延びるガイド面４２，４２を構成している。
【００１９】
差込部４４は、該差込部４４の上面の左右一方側（先端側）を基準にみれば、該差込部４４の上面の左右他方側（基端側）又は左右中央部に、被差込部３４の天面凸部３５に係合する、下方に凹んで上方並びに前方及び後方に開口した前後方向に延びる溝状の上面凹部４５が設けられており、また、該上面凹部４５の底面を基準にみれば、該差込部４４の上面の左右一方側（先端側）に、被差込部３４の天面凹部３６に係合する、上方に突出した前後方向に延びる上面凸部４６が設けられている。そして、上面凹部４５の後端部には、差込部４４を被差込部３４に差し込む際に、該上面凹部４５を天面凸部３５に係合させ易くするための後方に進むに従い幅の広がった拡張部４５ａが設けられている。詳しくは、該拡張部４５ａは、後方に向かうに従い前後方向に対して１０〜２０度の角度θで開いており、該拡張部４５ａの後端での左右方向の幅Ｗ２は、該拡張部４５ａの前端での幅（すなわち、上面凹部４５の幅）Ｗ１の１．５〜３倍になっている。なお、このガイド部材４０は、前述の通り前後対象であるため、該上面凹部４５の前端部にも、前後に反転させて同様に拡張部４５ａ’が設けられている。
【００２０】
引掛溝４７は、下方に凹んで上方並びに左方及び右方に開口した左右方向に延びる溝である。なお、ここでも、ガイド部材４０は、前述の通り前後対象であるため、該ガイド部材４０の後端部にも、前後に反転させて同様に引掛溝４７’が設けられている。
【００２１】
［駆動機構５０］
駆動機構５０は、駆動力を供給する駆動用モータ５２と、該駆動力をテープ送り部１０に伝える動力伝達部材５３，５４，５５とを含み構成され、最も出力側（テープ送り部１０側）に位置する動力伝達部材５５には、左右２つのテープ送り部１０，１０のいずれか一方の入力部１２ａに択一的に連結される出力部５５ａが設けられている。
【００２２】
［切換機構６０］
切換機構６０は、左右２つのテープ送り部１０，１０を支持した支持フレーム６１と、該支持フレーム６１を、動力伝達部材６３，６４を介して左右方向に駆動する切換用モータ６２とを含み構成されている。そして、該支持フレーム６１を右側に駆動した際には、駆動機構５０の出力部５５ａに左側のテープ送り部１０の入力部１２ａが連結され、左側に駆動した際には、該出力部５５ａに右側のテープ送り部１０の入力部１２ａが連結される仕組みとなっている。
【００２３】
［退避機構７０］
退避機構７０は、テープ送り部１０，１０と駆動機構５０と切換機構６０とを支持した支持フレーム７１と、該支持フレーム７１をシークイン供給位置とその斜め前上方の退避位置との間で昇降させる昇降機構７２とを含み構成されている。
【００２４】
本実施例によれば、次の［ア］〜［キ］に示す効果を得ることができる。
【００２５】
［ア］テープ送り部１０の被差込部３４に、ガイド部材４０の差込部４４が前方から差し込まれるため、該テープ送り部１０に対する該ガイド部材４０の取り付け及び取り外しが簡単であり、よって、該ガイド部材４０の交換が簡単である。
【００２６】
［イ］同じく、被差込部３４に差込部４４が前方から差し込まれるため、本実施例のように２つのテープ送り部１０，１０が左右方向に並設されている場合にも、一方のテープ送り部１０に干渉してガイド部材４０が他方のテープ送り部１０に対して取り付け不能又は取り外し不能になくなることはない。
【００２７】
［ウ］同一形状に形成されたそれぞれが前後対象の２つのガイド部材４０，４０のうちの一方を上下方向を軸に１８０度回転させて設置することによって、該一方を他方に対して左右反対に構成しているため、これら２つのガイド部材４０，４０は、該左右反対に構成されているにもかかわらず、同一の型で成形することができる。
【００２８】
［エ］被差込部３４の天面凸部３５に差込部４４の上面凹部４５が係合するため、又は、見方を変えれば、被差込部３４の天面凹部３６に差込部４４の上面凸部４６が係合するため、ガイド部材４０が左右他方に抜け落ちることはない。
【００２９】
［オ］差込部４４の上面凹部４５の後端部には拡張部４５ａがあるため、簡単に該差込部４４を被差込部３４に差し込むことができる。
【００３０】
［カ］ガイド部材４０の前端部には引掛溝４７があるため、該ガイド部材４０の取り外しが簡単である。
【００３１】
［キ］位置調節機構２１があるため、シークインテープＴをサイズの異なるものに交換した際には、簡単に該シークインテープＴを前後方向に位置調節し直すことができる。
【００３２】
なお、本発明は上記実施例に限定されるものではなく、発明の趣旨を逸脱しない範囲で各部の構成や形状を任意に変更して実施することもできる。
【図面の簡単な説明】
【００３３】
【図１】本発明の実施例のシークイン供給装置を示す側面断面図である。
【図２】同実施例のシークイン供給装置を示す正面断面図である。
【図３】同実施例のテープ送り部のガイド取付部及びガイド部材を示す斜視図である。
【図４】同実施例のテープ送り部のガイド取付部にガイド部材を取り付けた際の様子を示す斜視図である。
【図５】同実施例の、（ａ）はテープ送り部のガイド取付部を示す正面図、（ｂ）はガイド部材を示す平面図、（ｃ）は同ガイド部材を示す正面図、
【図６】従来例のシークイン供給装置を示す斜視図である。
【符号の説明】
【００３４】
７    ミシンヘッド
９    シークイン供給装置
１０    テープ送り部
１１    送り機構
３３    支持部
３４    被差込部
３５    天面凸部
３６    天面凹部
４０    ガイド部材
４２    ガイド面
４４    差込部
４５    上面凹部
４６    上面凸部
Ｐ    縫製位置
Ｔ    シークインテープ
Ｓ    シークイン
【図１】
2009254638.tif 000003
【図２】
2009254638.tif 000004
【図３】
2009254638.tif 000005
【図４】
2009254638.tif 000006
【図５】
2009254638.tif 000007
【図６】
2009254638.tif 000008